Podtech/llm-jp-corpus-v4-ja_patent huggingface dataset:
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
患者の特性を検知するためのセンサーセットであって、
患者の特性を表す少なくとも１つの電気信号を生成するための少なくとも２つのセンサー電極を遠位端に有し、近位端に少なくとも２つの接触パッドを含み、少なくとも２つの接触パッドのそれぞれが少なくとも２つのセンサー電極のうちの少なくとも１つと導電的に連結されている、センサーと、
患者の皮膚に装着するように適合された装着ベース部であって、後端部にコネクタ嵌合具を含み、コネクタ嵌合具は、センサーの一部のパススルー受容のために内部に形成された中央孔を有する円筒形要素を含む、装着ベース部と、
装着ベース部に連結し、センサーをセンサー電子機器に接続するように適合されたコネクタであって、装着ベース部のコネクタ嵌合具を受容するようにサイズ決めされた円筒形凹部と、装着ベース部がコネクタに連結された場合、センサーの少なくとも２つの接触パッドに電気的に連結されるように適合されている少なくとも２つのコネクタ接触部と、を含む、コネクタと、を備え、
装着ベース部は、１つ以上のラッチアームを含み、コネクタは、１つ以上のラッチ凹部を含み、
１つ以上のラッチアームは、装着ベース部がコネクタに連結された場合、１つ以上のラッチ凹部に嵌合及び係止するように適合され、
装着ベース部は、１つ以上の回転防止アームを更に含み、コネクタは、１つ以上の回転防止アーム凹部を含み、
１つ以上の回転防止アームは、装着ベース部がコネクタに連結された場合、１つ以上の回転防止アーム凹部に嵌合すること、
を特徴とするセンサーセット。
【請求項２】
請求項１に記載のセンサーセットであって、
装着ベース部は、１つ以上のラッチ凹部と同じ方向に延在している１つ以上のロックアウト柱状物を更に含み、装着ベース部がコネクタに連結された場合にコネクタがロックアウト柱状物に嵌合するように適合された１つ以上のロックアウトポケットを含むこと、
を特徴とするセンサーセット。
【請求項３】
請求項１に記載のセンサーセットであって、
回転防止アームは、高さよりも幅が広いこと、
を特徴とするセンサーセット。
【請求項４】
請求項１に記載のセンサーセットであって、
１つ以上のラッチ凹部は、１つ以上の回転防止アーム凹部と同じであり、１つ以上のラッチは、１つ以上の回転防止アームと同じ凹部に嵌合すること、
を特徴とするセンサーセット。
【請求項５】
請求項１に記載のセンサーセットであって、
コネクタに接続するように適合されたテストプラグを更に含み、
テストプラグはコネクタに連結された場合に、コネクタの１つ以上のラッチ凹部に嵌合及び係止するように適合された１つ以上のテストプラグラッチアームを含み、テストプラグがコネクタに連結された場合、コネクタの１つ以上の回転防止アーム凹部に嵌合するように適合された１つ以上のテストプラグ回転防止アームを含むこと、
を特徴とするセンサーセット。
【請求項６】
請求項５に記載のセンサーセットであって、
テストプラグは、テストプラグの中央区画と回転防止アームとの間の１つ以上の回転防止アーム延在部を含むこと、
を特徴とするセンサーセット。
【請求項７】
請求項５に記載のセンサーセットであって、
テストプラグがコネクタに連結された場合、コネクタのロックアウトポケットに嵌合するように適合された１つ以上のテストプラグラッチ凹部と同じ方向に延在する１つ以上のテストプラグロックアウト柱状物を含むこと、
を特徴とするセンサーセット。
【請求項８】
請求項１に記載のセンサーセットであって、
コネクタ嵌合具は、一端に形成されたキーを含み、センサーの近位端は、少なくとも２つの接触パッドのうち少なくとも１つがキーの第１の側に存在し、少なくとも２つの接触パッドのうちの少なくとも１つの他方が、キーの第２の側に存在するように、キーの周りで折り畳まれていること、
を特徴とするセンサーセット。
【請求項９】
請求項８に記載のセンサーセットであって、
キーは、装着ベース部において形成されたプロング凹部に嵌合するように適合された少なくとも１つのプロングを含むこと、
を特徴とするセンサーセット。
【請求項１０】
請求項８に記載のセンサーセットであって、
キーの第１の側は、平らであること、
を特徴とするセンサーセット。
【請求項１１】
請求項８に記載のセンサーセットであって、
キーの第１の側及びキーの第２の側はそれぞれ、センサーの近位端を受容するための座部を含むこと、
を特徴とするセンサーセット。
【請求項１２】
請求項１に記載のセンサーセットであって、
コネクタの少なくとも２つのコネクタ接触部は、圧縮型ピンであること、
を特徴とするセンサーセット。
【請求項１３】
請求項１２に記載のセンサーセットであって、
圧縮型ピンは、装着ベース部がコネクタに連結された場合、キーの第１の側及びキーの第２の側の中に圧縮されこと、
を特徴とするセンサーセット。
【請求項１４】
請求項１に記載のセンサーセットであって、
センサーは、参照電極と対向電極とを短絡する短絡経路を含んでいること、
を特徴とするセンサーセット。
【請求項１５】
請求項１に記載のセンサーセットであって、
センサーは、抵抗器を含んでいること、
を特徴とするセンサーセット。
【請求項１６】
請求項１に記載のセンサーセットであって、
コネクタは、装着ベース部から信号を送信するように適合された無線送信機を含んでいること、
を特徴とするセンサーセット。
【請求項１７】
請求項１に記載のセンサーセットであって、
患者の特性は、血糖であること、
を特徴とするセンサーセット。
【請求項１８】
請求項１に記載のセンサーセットであって、
少なくとも２つのセンサー電極は、特性を表す少なくとも２つの電気信号を生成するように適合され、少なくとも２つのコネクタ接触部は、少なくとも２つの電気信号を受信するように適合されること、
を特徴とするセンサーセット。
【請求項１９】
患者の特性を表す少なくとも１つの電気信号を生成するための、少なくとも２つのセンサー電極を遠位端に有し、近位端に少なくとも２つの接触パッドを含み、少なくとも２つの接触パッドのそれぞれは、少なくとも２つのセンサー電極のうちの少なくとも１つに導電的に連結されているセンサーのための装着ベース部であって、
センサーの一部のパススルー受容ために内部に形成された中央孔を有する円筒形要素を含むコネクタ嵌合具が装着ベース部の後端部に設けられ、
コネクタの１つ以上のラッチ凹部に嵌合及び係止するように適合された１つ以上のラッチアームを含み、
コネクタは、装着ベース部に連結し、センサーをセンサー電子機器に接続するように適合され、装着ベース部のコネクタ嵌合具を受容するようにサイズ決めされた円筒形凹部と、装着ベース部がコネクタに連結された場合、センサーの少なくとも２つの接触パッドに電気的に連結されるように適合されている少なくとも２つのコネクタ接触部と、を含み、
装着ベース部は、また、装着ベース部がコネクタに連結された場合、コネクタの１つ以上の回転防止アーム凹部に嵌合するように適合された１つ以上の回転防止アームを含むこと、
を特徴とする装着ベース部。
【請求項２０】
請求項１９に記載の装着ベース部であって、
回転防止アームは、高さよりも幅が広いこと、
を特徴とする装着ベース部。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行うか否かの判定を行う判定手段と、
前記判定手段の判定結果に応じて演出を実行する演出実行手段と、
前記判定手段にて前記特別遊技を行うと判定される確率と依存関係にある設定値を設定するための設定手段と、
異常が検知されたときに報知を行う報知手段と、
遊技機の外部に信号を出力可能な外部出力手段と、を備え、
前記演出実行手段は、特定演出を実行可能であって、前記判定手段にて前記特別遊技を行うと判定されているときの前記特定演出の実行割合を、前記設定値に依らず一定とし、
前記報知手段が報知を行う異常には、前記外部出力手段から信号出力が行われる第１異常と、前記外部出力手段から信号出力が行われない第２異常とがあり、
前記報知手段は、前記第１異常及び前記第２異常が重複して発生した場合、前記第１異常の報知を前記第２異常の報知よりも優先して行う
ことを特徴とする遊技機。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
遊技に供される遊技機において、
画像表示を行う表示手段と、
音を出力可能な音出力手段と、
遊技機へ電源投入が行われる際に操作者からの操作を受け付ける操作手段と、
遊技機へ電源投入が行われる際の前記操作手段への操作の入力状態に応じて、当該電源投入後に、第１復旧処理、第２復旧処理又は第３復旧処理を行う復旧処理手段と、を備え、
各復旧処理は、前記表示手段にて所定の表示を行う復旧表示処理を含み、
前記第１復旧処理の復旧表示処理において表示される第１画像及び前記第２復旧処理の復旧表示処理において表示される第２画像は、共通の画像内容が含み、前記第３復旧処理の復旧表示処理において表示される第３画像は、前記第１画像に含まれない画像内容を含み、
前記第２復旧処理及び前記第３復旧処理では前記音出力手段による音声出力が行われ、
前記第１復旧処理では前記音出力手段による前記音声出力が行われない
ことを特徴とする遊技機。
【請求項２】
遊技者に有利な特別遊技を行うか否かの判定を行う判定手段と、
前記判定手段にて前記特別遊技を行うと判定される確率と依存関係にある設定値を設定するための設定手段と、
遊技機への電源が遮断される際、電源遮断前の遊技に関わる情報を保存するメモリと、を更に備え、
遊技機への電源の遮断後、前記操作手段への第１操作の入力を伴って遊技機への電源投入が行われたとき、前記メモリ内の前記遊技に関わる情報が破棄され、前記復旧処理手段により前記第２復旧処理が行われ、
遊技機への電源の遮断後、前記操作手段への第２操作の入力を伴って遊技機への電源投入が行われたとき、前記設定値を設定可能な設定変更モードに移行し、且つ、前記復旧処理手段により前記第３復旧処理が行われ、
遊技機への電源の遮断後、前記操作手段への前記第１操作の入力も前記第２操作の入力も伴わずに遊技機への電源投入が行われたとき、前記復旧処理手段により前記第１復旧処理が行われる
ことを特徴とする請求項１に記載の遊技機。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
（ｉ）少なくとも５０重量％のＨＦＯ−１２３４ｙｆ；
（ｉｉ）１，１，１，２−テトラフルオロエタン（ＨＦＣ−１３４ａ）、ジフルオロエタン（ＨＦＣ−１５２ａ）、ジフルオロメタン（ＨＦＣ−３２）及びＣＯ２からなる群から選ばれる１以上の化合物
を含み１０００以下の地球温暖化係数を有する組成物の冷媒としての使用。
【請求項２】
前記組成物が少なくとも７０重量％のＨＦＯ−１２３４ｙｆを含む、請求項１に記載の使用。
【請求項３】
前記組成物がＨＦＣ−１３４ａ、Ｒ−１２及び／又はＲ−５００の冷媒の代替物として与えられる、請求項１又は２に記載の使用。
【請求項４】
自動車の空調装置、商業用の冷却装置、チラー、住宅用の冷蔵庫又は冷凍庫、一般の空調装置、又は熱ポンプにおける、請求項１〜３のいずれかに記載の使用。
【請求項５】
前記組成物が潤滑剤と組み合わせて与えられ、場合によって、前記潤滑剤がポリオールエステル、ポリアルキレングリコール、シリコーン油、鉱油、アルキルベンゼンおよびポリ(アルファ-オレフィン)から選ばれ、場合によって、前記潤滑剤がポリオールエステルである、請求項１〜４のいずれかに記載の使用。
【請求項６】
チラーにおける少なくとも５０重量％のＨＦＯ−１２３４ｙｆを含む冷媒の使用、又は、前記冷媒が少なくとも７０重量％のＨＦＯ−１２３４ｙｆを含む前記使用、又は、前記冷媒が本質的にＨＦＯ−１２３４ｙｆからなる前記使用。
【請求項７】
前記冷媒がＨＦＣ−１３４ａの代替物である、請求項６に記載の使用。
【請求項８】
チラーにおける、請求項６又は７に記載の冷媒を含む熱伝達組成物の使用。
【請求項９】
前記熱伝達組成物がさらに潤滑剤を含み、場合によって、前記潤滑剤がポリオールエステル（ＰＯＥ）である、請求項８に記載の使用。
【請求項１０】
商業用の冷却装置及び住宅用の冷蔵庫又は冷凍庫から選ばれる冷却装置における、少なくとも５０重量％の量でトランスＨＦＯ−１２３４ｚｅ又はＨＦＯ−１２３４ｙｆを含み１０００以下の地球温暖化係数を有する組成物の冷媒としての使用、場合によって、前記組成物が少なくとも７０重量％の量でトランスＨＦＯ−１２３４ｚｅ又はＨＦＯ−１２３４ｙｆを含む、前記使用。
【請求項１１】
前記組成物が潤滑剤と組み合わせて与えられ、場合によって、前記潤滑剤がポリオールエステル、ポリアルキレングリコール、シリコーン油、鉱油、アルキルベンゼンおよびポリ(アルファ-オレフィン)から選ばれ、場合によって、前記潤滑剤がポリオールエステルである、請求項１０に記載の使用。
【請求項１２】
前記組成物又は冷媒が５００以下、又は１５０以下、又は７５以下の地球温暖化係数を有する、請求項１〜１１のいずれかに記載の使用。
【請求項１３】
前記組成物又は冷媒が０．０５以下、又は０．０２以下、又は０のオゾン破壊係数を有する、請求項１〜１２のいずれかに記載の使用。
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
増大した透過性を有する粒状超吸収性ポリマー組成物であって、前記粒状超吸収性ポリマーは、
ａ）不飽和酸性基含有モノマーを含む重合性モノマーであって、前記不飽和酸性基含有モノマーは、アクリル酸、メタクリル酸、ビニル酢酸、ビニルスルホン酸、メタリルスルホン酸、及び２―アクリルアミド―２―メチルプロパンスルホン酸から選択される、重合性モノマーと；
ｂ）前記重合性モノマーに基づいて０．００１〜１質量％の内部架橋剤組成物であって、エチレン性不飽和ポリアミンとエチレン性不飽和グリシジル化合物及び／又はエチレン性不飽和ポリグリシジル化合物との開環付加反応生成物である、内部架橋剤組成物と；
ここで、成分ａ）及びｂ）は重合及び粒状化されて、粒子表面を有する粒状超吸収性ポリマーを形成しており、前記粒状超吸収性ポリマー組成物の少なくとも４０質量％は３００μｍ〜６００μｍの粒子径を有しており；
ｃ）乾燥した超吸収性ポリマー組成物粉末の質量に基づいて０．０１〜５質量％の、前記粒子表面に適用された表面架橋剤と；
ｄ）乾燥した粒状超吸収性ポリマー組成物粉末の質量に基づいて０．０１質量％〜５質量％の前記粒子表面に適用された不溶性無機粉末、及び乾燥した粒状超吸収性ポリマー組成物粉末の質量に基づいて０．０１〜５質量％の前記粒子表面に適用された多価金属塩と；
を含んでおり、
前記粒状超吸収性ポリマー組成物は、ＣＲＣ＝［遠心分離後のサンプルバッグ−遠心分離後の空のバッグ−乾燥したサンプル質量］／乾燥状態サンプル質量によって決定される２０ｇ／ｇ〜４０ｇ／ｇの遠心保持容量、及びＫ＝［Ｑ＊Ｈ＊μ］／［Ａ＊ρ＊Ｐ］によって決定される５ダーシー以上２００ダーシー以下のゲル床透過性を有する、
粒状超吸収性ポリマー組成物。
【請求項２】
前記エチレン性不飽和グリシジル化合物及び／又は前記エチレン性不飽和ポリグリシジル化合物が、（メタ）アリルグリシジルエーテル、又はグリシジル（メタ）アクリレートから選択される、請求項１に記載の粒状超吸収性ポリマー組成物。
【請求項３】
粒状超吸収性ポリマー組成物の製造方法であって、
ａ）超吸収性ポリマーに基づいて、エチレン性不飽和カルボン酸、エチレン性不飽和カルボン酸の無水物、塩、又はこれらの誘導体から選択される少なくとも１つのモノマーと、エチレン性不飽和ポリアミンとエチレン性不飽和グリシジル化合物及び／又はエチレン性不飽和ポリグリシジル化合物との反応生成物である、０．００１質量％〜１質量％の内部架橋剤組成物とを重合させることによって超吸収性ポリマーを調製すること；
ｂ）前記超吸収性ポリマーを重合させること；
ｃ）前記超吸収性ポリマーを粒状化して、前記粒状超吸収性ポリマー％の少なくとも４０質量が３００μｍ〜６００μｍの粒子径を有する粒状超吸収性ポリマーを形成すること；
ｄ）乾燥した超吸収性ポリマー組成物粉末の質量に基づいて０．００１質量％〜５．０質量％の、粒子表面に適用された表面架橋剤で、前記粒状超吸収性ポリマーを表面架橋すること；及び
ｅ）工程ｄ）の表面架橋した粒状超吸収性ポリマーを、１５０℃〜２５０℃の温度で２０〜１２０分間熱処理して、表面架橋した前記粒状超吸収性ポリマーを形成すること；
を含んでおり、
前記粒状超吸収性ポリマー組成物は、本明細書に記載の遠心保持容量試験によって決定される２０ｇ／ｇ〜４０ｇ／ｇの遠心保持容量、及び本明細書に記載のゲル床透過性試験によって決定される少なくとも５ダーシー以上のゲル床透過性を有する、
粒状超吸収性ポリマー組成物の製造方法。
【請求項４】
前記エチレン性不飽和グリシジル化合物及び／又は前記エチレン性不飽和ポリグリシジル化合物が（メタ）アリルグリシジルエーテル、又はグリシジル（メタ）アクリレートから選択される、請求項３に記載の方法。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
クロストリジウム・ブチリクム、クロストリジウム・ジスポリクム、クロストリジウム・ハイレモンアエ、クロストリジウム・オルビスシンデンス、クロストリジウム・シンビオサム、コリンゼラ・アエロファシエンス、コプロコッカス・コメス、ラクノスピラ菌＿５＿１＿５７ＦＡＡ、ルミノコッカス・ブロミイ、ブラウチア・プロダクタ、クロストジリウム・ボルテアエ、クロストリジウム・イノキューム、クロストリジウム・マヨムベイ、クロストリジウム・テルチウム、及びルミノコッカス・グナヴスから選択される、１又は複数の精製した細菌種を含む、組成物。
【請求項２】
クロストリジウム・ジスポリクム、クロストリジウム・オルビスシンデンス、クロストリジウム・シンビオサム、コリンゼラ・アエロファシエンス、ユーバクテリウム・レクタレ、ラクノスピラ菌＿５＿１＿５７ＦＡＡ、ブラウチア・プロダクタ、クロストリジウム・イノキューム、及びクロストリジウム・マヨムベイから選択される、１又は複数の精製した細菌種を含む、組成物。
【請求項３】
前記精製した細菌種を２以上含む、請求項１又は２に記載の組成物。
【請求項４】
前記精製した細菌種を３以上含む、請求項１又は２に記載の組成物。
【請求項５】
前記精製した細菌種を４以上含む、請求項１又は２に記載の組成物。
【請求項６】
前記精製した細菌種を５以上含む、請求項１又は２に記載の組成物。
【請求項７】
前記１又は複数の精製した細菌種が、クロストリジウム・ブチリクム、クロストリジウム・ジスポリクム、クロストリジウム・ハイレモンアエ、クロストリジウム・オルビスシンデンス、クロストリジウム・シンビオサム、及びラクノスピラ菌＿５＿１＿５７ＦＡＡから選択される、請求項１に記載の組成物。
【請求項８】
前記１又は複数の精製した細菌種が、クロストリジウム・ジスポリクム、クロストリジウム・オルビスシンデンス、クロストリジウム・シンビオサム及びラクノスピラ菌＿５＿１＿５７ＦＡＡから選択される、請求項２に記載の組成物。
【請求項９】
前記精製した細菌種である、クロストリジウム・ブチリクム、クロストリジウム・ジスポリクム、クロストリジウム・ハイレモンアエ、クロストリジウム・オルビスシンデンス、クロストリジウム・シンビオサム及びラクノスピラ菌＿５＿１＿５７ＦＡＡを含む、請求項１に記載の組成物。
【請求項１０】
前記精製した細菌種である、クロストリジウム・ジスポリクム、クロストリジウム・オルビスシンデンス、クロストリジウム・シンビオサム及びラクノスピラ菌＿５＿１＿５７ＦＡＡを含む、請求項２に記載の組成物。
【請求項１１】
前記精製した細菌種である、クロストリジウム・オルビスシンデンス、ラクノスピラ菌＿５＿１＿５７ＦＡＡ及びユーバクテリウム・レクタレを含む、請求項１又は２に記載の組成物。
【請求項１２】
前記精製した細菌種である、コリンゼラ・アエロファシエンス、クロストリジウム・イノキューム、  コプロコッカス・コメス及びルミノコッカス・ブロミイを含む、請求項１又は２に記載の組成物。
【請求項１３】
精製したクロストリジウム・オルビスシンデンスを含む、請求項１〜１２のいずれか一項に記載の組成物。
【請求項１４】
賦形剤をさらに含む、請求項１〜１３のいずれか一項に記載の組成物。
【請求項１５】
哺乳動物への経口投与用に製剤化された、請求項１〜１４のいずれか一項に記載の組成物。
【請求項１６】
前記哺乳動物がヒトである、請求項１５に記載の組成物。
【請求項１７】
請求項１〜１６のいずれか一項に記載の組成物を含む、１回投与単位。
【請求項１８】
クロストリジウム・ブチリクム、クロストリジウム・ジスポリクム、クロストリジウム・ハイレモンアエ、クロストリジウム・オルビスシンデンス、クロストリジウム・シンビオサム、コリンゼラ・アエロファシエンス、コプロコッカス・コメス、ラクノスピラ菌＿５＿１＿５７ＦＡＡ、ルミノコッカス・ブロミイ、ブラウチア・プロダクタ、クロストジリウム・ボルテアエ、クロストリジウム・イノキューム、クロストリジウム・マヨムベイ、クロストリジウム・テルチウム及びルミノコッカス・グナヴスから選択される、１又は複数の精製した細菌種を含む、哺乳動物においてクロストリジウム・ディフィシル感染を治療するための組成物。
【請求項１９】
クロストリジウム・ディフィシル感染が、前記哺乳動物においてクロストリジウム・ディフィシルと関連する下痢を引き起こす、請求項１８に記載の組成物。
【請求項２０】
治療後に前記細菌種が前記哺乳動物の微生物叢内に生着する、請求項１８に記載の組成物。
【請求項２１】
前記哺乳動物がヒトである、請求項１８〜２０のいずれか一項に記載の組成物。
【請求項２２】
クロストリジウム・ブチリクム、クロストリジウム・ジスポリクム、クロストリジウム・ハイレモンアエ、クロストリジウム・オルビスシンデンス、クロストリジウム・シンビオサム、コリンゼラ・アエロファシエンス、コプロコッカス・コメス、ラクノスピラ菌＿５＿１＿５７ＦＡＡ、ルミノコッカス・ブロミイ、ブラウチア・プロダクタ、クロストジリウム・ボルテアエ、クロストリジウム・イノキューム、クロストリジウム・マヨムベイ、クロストリジウム・テルチウム及びルミノコッカス・グナヴスから選択される、１又は複数の精製した細菌種を含む、哺乳動物において潰瘍性大腸炎を治療するための組成物。
【請求項２３】
治療後に前記細菌種が前記哺乳動物の微生物叢内に生着する、請求項２２に記載の組成物。
【請求項２４】
前記哺乳動物がヒトである、請求項２２又は２３に記載の組成物。
【手続補正書】
【提出日】令和2年3月5日(2020.3.5)
【手続補正１】
【補正対象書類名】明細書
【補正対象項目名】００１１
【補正方法】変更
【補正の内容】
【００１１】
＜４＞  油性成分の総含有量に対する常温で固体の炭化水素の含有量が１０質量％以上である＜１＞〜＜３＞のいずれか１つに記載の水中油型乳化組成物。
＜５＞  有機概念図で表される無機性／有機性比（以下、「Ｉ／Ｏ値」と称する。）が２．５以上の保湿剤をさらに含む＜１＞〜＜４＞のいずれか１つに記載の水中油型乳化組成物。
【手続補正２】
【補正対象書類名】明細書
【補正対象項目名】００３０
【補正方法】変更
【補正の内容】
【００３０】
炭化水素としては、流動パラフィン、イソパラフィン、オレフィンオリゴマー、スクワラン等が挙げられる。
【手続補正３】
【補正対象書類名】明細書
【補正対象項目名】００３５
【補正方法】変更
【補正の内容】
【００３５】
（水）
乳化組成物に含まれる水としては、化粧料に適用しうる水であれば特に制限はない。精製水、蒸留水、イオン交換水、純水、ミリＱ水等の超純水のいずれも使用することができる。
なお、ミリＱ水とは、メルク社の超純水製造装置であるミリＱ水製造装置により得られる超純水である。
水は水相を構成する成分の１つとなる。
【手続補正４】
【補正対象書類名】明細書
【補正対象項目名】００９５
【補正方法】変更
【補正の内容】
【００９５】
（３）刺激
顔の皮膚表面に塗布した場合、ピリピリするような感触があるかどうかを確認して評価した。
（３−１）以下に記載の基準に従い、それぞれのモニターが、刺激の評価を行った。
１：刺激を感じない
２：刺激をわずかに感じる
３：刺激を感じるが、使い続けることができる
４：刺激をやや強く感じ、使い続けることが難しい
５：刺激を強く感じ、使い続けることが困難
（３−２）モニター１０名分の（３−１）の評価結果の評点を算術平均し、以下の基準に沿って評価した。
Ｓ：１．０以上１．５未満
Ａ：１．５以上２未満
Ｂ：２以上３未満
Ｃ：３以上５．０以下
なお、Ｓ、Ａ及びＢが製品として許容範囲である。
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
ＭＵＣ１６ポリペプチドに特異的に結合する抗体またはその抗原結合断片であって、該ＭＵＣ１６ポリペプチドが、
ＴＬＤＲＳＳＶＬＶＤＧＹＳＰＮＲＮＥ（配列番号０２）
であり、該抗体が、配列番号０４によってコードされる可変重（「ＶＨ」）鎖と配列番号０５によってコードされる可変軽（「ＶＬ」）鎖とを含む、
抗体またはその抗原結合断片。
【請求項２】
前記抗体がモノクローナル抗体である、請求項１に記載の抗体またはその抗原結合断片。
【請求項３】
前記抗体がキメラ抗体である、請求項１に記載の抗体。
【請求項４】
ヒトフレームワークドメインの中に、第１の抗体の相補性決定領域を置き換えることによって作製された、ヒト化抗体またはその抗原結合断片であって、該ヒト化抗体またはその抗原結合断片は、ＭＵＣ１６ポリペプチドに特異的に結合し、該第１の抗体は、該ＭＵＣ１６ポリペプチドに特異的に結合し、該ＭＵＣ１６ポリペプチドがＴＬＤＲＳＳＶＬＶＤＧＹＳＰＮＲＮＥ（配列番号０２）であり、そして、該第１の抗体が、配列番号０４によってコードされるＶＨ鎖と配列番号０５によってコードされるＶＬ鎖とを含む、抗体またはその抗原結合断片。
【請求項５】
前記ヒト化抗体のフレームワーク領域残基の実質的に全部が、ヒト免疫グロブリン配列のフレームワーク領域残基であり、該フレームワーク領域残基の１つまたは複数が対応する非ヒト残基によって置き換えられる、請求項４に記載の抗体。
【請求項６】
前記抗体結合断片が、Ｆａｂ断片、Ｆ（ａｂ’）２断片およびＦｖ断片からなる群より選択される、請求項１〜５のいずれかに記載の抗体または抗原結合断片。
【請求項７】
前記抗体またはその抗原結合断片が、細胞傷害性物質または細胞傷害性物質のプロドラッグに共有結合により連結される、請求項１〜６のいずれかに記載の抗体または抗原結合断片。
【請求項８】
（ａ）請求項１〜７のいずれかに記載の抗体またはその抗原結合断片、および、（ｂ）薬学的に許容され得るキャリア、を含む組成物。
【請求項９】
請求項１〜２のいずれかに記載の抗体を産生する、ハイブリドーマ細胞。
【請求項１０】
ＭＵＣ１６が発現される癌を有するとして被験体を同定するための、請求項１〜７のいずれか一項に記載の抗体を含む組成物であって、該組成物が該被験体に投与され、該被験体における該抗体の存在と位置が決定されることを特徴とし、ここで、該抗体は標識されている、組成物。
【請求項１１】
前記癌が、卵巣癌および乳癌からなる群より選択される、請求項１０に記載の組成物。
【請求項１２】
第１の被験体由来の第１の試料に対する請求項１〜５のいずれかに記載の抗体の結合レベルを、ＭＵＣ１６が発現される癌を有するとしての被験体の指標として用いるエキソビボの方法であって、該方法は、
（ａ）該第１の試料を請求項１〜５のいずれかに記載の抗体と接触させる工程；および
（ｂ）該抗体が、該癌を欠く対照試料と比較して、該第１の試料への結合レベルの増加を有するかどうかを決定する工程
を包含する、方法。
【請求項１３】
前記癌が、卵巣癌および乳癌からなる群より選択される、請求項１２に記載のエキソビボの方法。
【請求項１４】
配列番号０４によってコードされるＶＨ鎖配列と、配列番号０５によってコードされるＶＬ鎖配列とを含む、一本鎖可変断片（ｓｃＦｖ）。
【請求項１５】
請求項４に記載のヒト化抗体またはその抗原結合断片のＶＨ鎖配列とＶＬ鎖配列とを含む、一本鎖可変断片（ｓｃＦｖ）。
【請求項１６】
請求項１４または１５に記載のｓｃＦｖを含む、キメラ抗原受容体（ＣＡＲ）。
【請求項１７】
膜貫通ドメインに融合された、請求項１４または１５に記載のｓｃＦｖを含むＣＡＲ。
【請求項１８】
前記膜貫通ドメインが、Ｔ細胞受容体ζ鎖細胞質シグナル伝達ドメインに融合される、請求項１７に記載のＣＡＲ。
【請求項１９】
共刺激受容体の細胞質シグナル伝達ドメインをさらに含む、請求項１８に記載のＣＡＲであって、該共刺激受容体が、ＣＤ２８、４−１ＢＢまたはＯＸ４０を含む、ＣＡＲ。
【請求項２０】
アミノ末端からカルボキシ末端へと順に、ヒトＣＤ８リーダーペプチド、ｓｃＦｖ、ヒトＣＤ２８膜貫通ドメインおよび細胞質シグナル伝達ドメイン、ならびに、ＣＤ３−ζシグナル伝達ドメイン、を含む、請求項１７に記載のＣＡＲ。
【請求項２１】
請求項１６〜２０のいずれかに記載のＣＡＲを発現する、Ｔ細胞。
【請求項２２】
ＭＵＣ１６が発現される癌を処置するための組成物であって、請求項１〜７のいずれか一項に記載の抗体または抗原結合断片の治療上有効量を含む、組成物。
【請求項２３】
ＭＵＣ１６が発現される癌を処置するための組成物であって、請求項２１に記載のＴ細胞を含む、組成物。
【請求項２４】
前記Ｔ細胞が腹腔内または静脈内投与のためのものである、請求項２３に記載の組成物。
【請求項２５】
前記癌が、卵巣癌および乳癌からなる群より選択される、請求項２２または２３に記載の組成物。
【手続補正２】
【補正対象書類名】明細書
【補正対象項目名】００１５
【補正方法】変更
【補正の内容】
【００１５】
【数１】
2019116474.tif 000001
の群から選択される、単離された抗体またはその抗原結合断片を提供する。一実施形態において、抗体は、モノクローナル抗体、キメラ抗体、組換え抗体、組換え抗体の抗原結合断片、ヒト化抗体、およびファージの表面にディスプレイされる抗体の群から選択される。好ましい実施形態において、抗体は、
【手続補正３】
【補正対象書類名】明細書
【補正対象項目名】００１９
【補正方法】変更
【補正の内容】
【００１９】
【数３】
2019116474.tif 000002
の群から選択される、ハイブリドーマ細胞を提供する。
【手続補正４】
【補正対象書類名】明細書
【補正対象項目名】００２１
【補正方法】変更
【補正の内容】
【００２１】
【数４】
2019116474.tif 000003
の群から選択される、単離されたヌクレオチド配列を提供する。一実施形態において、ＭＵＣ１６ポリペプチドはＴＬＤＲＫＳＶＦＶＤＧＹＳＱＮＲＤＤ（配列番号２１）であり、可変重鎖（ＶＨ）配列をコードするポリヌクレオチドは配列番号２６を含み、可変軽鎖（ＶＬ）配列をコードするポリヌクレオチドは配列番号２８を含む。
【手続補正５】
【補正対象書類名】明細書
【補正対象項目名】００２３
【補正方法】変更
【補正の内容】
【００２３】
【数５】
2019116474.tif 000004
の群から選択されるＭＵＣ１６ポリペプチドの免疫学的有効量を被験体に投与する工程を含む、ＭＵＣ１６ポリペプチドまたはその抗原性部分に特異的に結合する抗体を産生するための方法を提供する。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
配列ＩＤ番号：５に示すＡＡＶカプシド配列を含む組換えＡＡＶ粒子であって、前記組換えＡＡＶ粒子のゲノムが、ＡＡＶ逆方向末端反復（ＩＴＲ）と、リソソーム蓄積症に関わる酵素をコードする異種ポリヌクレオチド配列とを含み、前記異種ポリヌクレオチド配列は発現制御要素に作動可能に連結された、組換えＡＡＶ粒子。
【請求項２】
前記発現制御要素が構成的または制御可能な制御要素を含む、請求項１に記載の組換えＡＡＶ粒子。
【請求項３】
前記発現制御要素が組織特異的発現制御要素またはプロモーターを含む、請求項１に記載の組換えＡＡＶ粒子。
【請求項４】
前記組織特異的発現制御要素またはプロモーターが肝臓特異的である、請求項３に記載の組換えＡＡＶ粒子。
【請求項５】
前記発現制御要素が肝臓特異的エンハンサー・プロモーターを含む、請求項１に記載の組換えＡＡＶ粒子。
【請求項６】
前記発現制御要素がＡｐｏＥ−ｈＡＡＴエンハンサー・プロモーターである、請求項１に記載の組換えＡＡＶ粒子。
【請求項７】
前記異種ポリヌクレオチド配列がポリＡ配列に連結された、請求項１から６のいずれか１項に記載の組換えＡＡＶ粒子。
【請求項８】
前記異種ポリヌクレオチド配列が５’および３’の非翻訳領域に隣接している、請求項
１から７のいずれか１項に記載の組換えＡＡＶ粒子。
【請求項９】
前記異種ポリヌクレオチド配列が５’及び／又は３’のＡＡＶ逆方向末端反復（ＩＴＲ
）に隣接している、請求項１から８のいずれか１項に記載の組換えＡＡＶ粒子。
【請求項１０】
前記ＡＡＶ逆方向末端反復（ＩＴＲ）がＡＡＶ２に由来する、請求項１から９のいずれか１項に記載の組換えＡＡＶ粒子。
【請求項１１】
前記組換えＡＡＶ粒子が、Ｒｈ７４、ＡＡＶ２、又はＡＡＶ８血清型よりも高い肝細胞に対する指向性を有する、請求項１から１０のいずれか１項に記載の組換えＡＡＶ粒子。
【請求項１２】
配列ＩＤ番号：５のアミノ酸配列を有するＶＰ１カプシドタンパクを含む組換えＡＡＶ粒子であって、前記組換えＡＡＶ粒子のゲノムが、５’から３’の順で、
（ａ）第１のＡＡＶ逆方向末端反復（ＩＴＲ）と、
（ｂ）肝臓特異的エンハンサー・プロモーターと、
（ｃ）前記肝臓特異的エンハンサー・プロモーターに作動可能に連結されたリソソーム蓄積症に関わる酵素をコードするポリヌクレオチド配列と、
（ｄ）ポリＡ配列と、
（ｅ）第２のＡＡＶ逆方向末端反復（ＩＴＲ）と
を含む、組換えＡＡＶ粒子。
【請求項１３】
前記第１及び第２のＡＡＶ逆方向末端反復（ＩＴＲ）がＡＡＶ２に由来する、請求項１２に記載の組換えＡＡＶ粒子。
【請求項１４】
前記肝臓特異的エンハンサー・プロモーターがＡｐｏＥ−ｈＡＡＴエンハンサー・プロモーターである、請求項１２又は１３に記載の組換えＡＡＶ粒子。
【請求項１５】
前記ポリヌクレオチド配列が５’および３’の非翻訳領域に隣接している、請求項１２
から１４のいずれか１項に記載の組換えＡＡＶ粒子。
【請求項１６】
請求項１から１５のいずれか１項に記載の組換えＡＡＶ粒子と薬学的に許容される担体とを含む医薬組成物。
【請求項１７】
空のカプシドＡＡＶをさらに含む請求項１６に記載の医薬組成物。
【請求項１８】
空のカプシドＡＡＶ−Ｒｈ７４、又は配列ＩＤ番号：５のＡＡＶカプシド配列を含む空のカプシドをさらに含む、請求項１６に記載の医薬組成物。
【請求項１９】
請求項１から１５のいずれか１項に記載の組換えＡＡＶ粒子を製造する方法であって、請求項１から１５のいずれか１項に記載の組換えＡＡＶ粒子のゲノムを含む組換えプラスミドを含むヘルパー細胞を培養する工程を備える、方法。
【請求項２０】
請求項１から１５のいずれか１項に記載の組換えＡＡＶ粒子を治療有効量含む、ポンペ病を治療するための医薬組成物。
【請求項２１】
リソソーム蓄積症に関わる酵素に欠陥のある哺乳動物を治療するための医薬組成物であって、
配列ＩＤ番号：５のＡＡＶカプシド配列を含む組換えＡＡＶ粒子であって、前記組換えＡＡＶ粒子のゲノムは、前記欠陥のある酵素の発現又は機能を修正することができる酵素をコードする異種ポリヌクレオチド配列を含み、前記異種ポリヌクレオチド配列は、当該異種ポリヌクレオチド配列の転写を付与する発現制御要素に作動可能に連結されている、前記組換えＡＡＶ粒子を備える、医薬組成物。
【請求項２２】
前記異種ポリヌクレオチド配列は、前記異種ポリヌクレオチド配列の転写を付与する発現制御要素に作動可能に連結されている、請求項２０に記載の医薬組成物。
【請求項２３】
リソソーム蓄積症に関わる前記酵素が、前記哺乳動物に対して治療的効果を有する、請求項２０又は２１に記載の医薬組成物。
【請求項２４】
前記リソソーム蓄積症がポンペ病である、請求項２１に記載の医薬組成物。
【請求項２５】
前記哺乳動物がポンペ病を有する、請求項２１に記載の医薬組成物。
【請求項２６】
前記哺乳動物がリソソーム蓄積症に関わる前記酵素、又はリソソーム蓄積症に関わる欠陥若しくは異常を有する酵素を不十分な量だけ産生する、請求項２１から２５のいずれか１項に記載の医薬組成物。
【請求項２７】
前記組換えＡＡＶ粒子は、静脈内への投与、動脈内への投与、筋肉内への投与、皮下への投与、挿管による投与、カテーテルを介する投与、又は、体腔内への投与のために配合される、請求項２１から２６のいずれか１項に記載の医薬組成物。
【請求項２８】
前記哺乳動物はヒトである、請求項２１から２７のいずれか１項に記載の医薬組成物。
【請求項２９】
前記哺乳動物は、ＡＡＶ−Ｒｈ７４以外のＡＡＶ血清型に対して血清学的に陽性である、請求項２１から２８のいずれか１項に記載の医薬組成物。
【請求項３０】
前記哺乳動物は、ＡＡＶ血清型ＡＡＶ１、ＡＡＶ２、ＡＡＶ３、ＡＡＶ４、ＡＡＶ５、ＡＡＶ６、ＡＡＶ７、ＡＡＶ８、ＡＡＶ９、ＡＡＶ１０又はＡＡＶ１１に対して血清学的に陽性である、請求項２１から２９のいずれか１項に記載の医薬組成物。
【請求項３１】
前記哺乳動物はＡＡＶ−Ｒｈ７４に対して血清学的に陰性又は血清学的に陽性である、請求項２１から２８のいずれか１項に記載の医薬組成物。
【請求項３２】
空のカプシドＡＡＶをさらに備える、請求項２１から３１のいずれか１項に記載の医薬組成物。
【請求項３３】
前記医薬組成物が、空のカプシドＡＡＶ−Ｒｈ７４、又は配列ＩＤ番号：５の配列を含む空のカプシドをさらに備える、請求項２１から３１のいずれか１項に記載の医薬組成物。
【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
マトリックス樹脂内に繊維材が混合されてなる繊維強化樹脂を、一対の型を備えた成形型内において所要の形状に賦形する成形方法において、
前記一対の型のうち、一方の型のキャビティの底面の周縁部に配置される前記繊維強化樹脂の厚みよりも、前記周縁部より内側に配置される前記繊維強化樹脂の厚みの方が薄くなるように、前記繊維強化樹脂を前記キャビティに配置し、
前記キャビティに配置した前記繊維強化樹脂を、前記一対の型のうち、他方の型でプレスすることにより、前記周縁部から前記内側に向けて流動させながら所要形状に賦形することを特徴とする繊維強化樹脂の成形方法。
【請求項２】
前記繊維強化樹脂を前記キャビティに配置する際に、前記繊維強化樹脂を前記周縁部に沿って配置することを特徴とする請求項１に記載の繊維強化樹脂の成形方法。
【請求項３】
前記繊維強化樹脂を前記キャビティに配置する際に、前記繊維強化樹脂の厚みが、前記周縁部から前記内側に向けて薄くなるように、前記底面に前記繊維強化樹脂を配置することを特徴とする請求項１または２に記載の繊維強化樹脂の成形方法。
【請求項４】
前記繊維強化樹脂を前記キャビティに配置する際に、前記周縁部より内側に前記繊維強化樹脂が存在しない空間を形成することを特徴とする請求項１〜３のいずれか１項に記載の繊維強化樹脂の成形方法。
【請求項５】
前記底面の中央には、前記一方の型を貫通する貫通孔が形成されており、
前記他方の型でプレスすることにより、前記周縁部から前記内側に向けて流動した前記繊維強化樹脂の一部を、前記貫通孔を介して、前記成形型の外に排出することを特徴とする請求項１〜４のいずれか１項に記載の繊維強化樹脂の成形方法。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
インキパンに水性インキを貯留して、ファニッシャーロール、グラビアロール、ドクターブレード及びニップロールを用いて印刷基材へ印刷するグラビア印刷方法であって、
該水性インキが、顔料、ポリマー、有機溶剤、界面活性剤、及び水を含み、
該有機溶剤中の沸点１００℃以上２６０℃以下の有機溶剤の含有量が、水性インキ中、０．３質量％以上１２質量％以下であり、
該顔料粒子の平均粒径が１２０ｎｍ以上３５０ｎｍ以下であり、
該水性インキ中の粒子の粒径分布において粒径１３０ｎｍ以下の粒子頻度が４０体積％以下であり、
該グラビアロール版面の算術平均粗さ（Ｒａ）が１０ｎｍ以上１４０ｎｍ以下である、グラビア印刷方法。
【請求項２】
グラビアロール版面の最大高さ（Ｒｚ）が１００ｎｍ以上２５０ｎｍ以下である、請求項１に記載のグラビア印刷方法。
【請求項３】
水性インキ中の粒子の粒径分布における多分散指数が０．１３以上０．３以下である水性インキを用いた、請求項１又は２に記載のグラビア印刷方法。
【請求項４】
水性インキ中の界面活性剤の含有量が０．１質量％以上１０質量％以下である、請求項１〜３のいずれかに記載のグラビア印刷方法。
【請求項５】
水性インキ中の沸点１００℃未満の有機溶剤の含有量が５質量％以下である、請求項１〜４のいずれかに記載のグラビア印刷方法。
【請求項６】
印刷基材が樹脂フィルムである、請求項１〜５のいずれかに記載のグラビア印刷方法。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
走行体を含む作業機械本体と、交換可能とされるアタッチメントと、前記アタッチメント以外の作業機要素を有して構成され前記作業機械本体に動作可能に接続される作業機と、を備える作業機械の管理を行う作業機械の管理装置であって、
前記アタッチメントの種類を識別する作業機要素識別情報を取得する作業機要素識別情報取得部と、
前記アタッチメントを駆動するためのパラメータを取得するパラメータ取得部と、
前記アタッチメントの稼働情報を取得する作業機要素稼働情報取得部と、
前記作業機要素識別情報取得部、前記パラメータ取得部、および前記作業機要素稼働情報取得部により取得された各種情報に基づいて、前記アタッチメントの実稼働時間を含む実稼働情報を演算する作業機要素実稼働情報演算部と、を備えている
ことを特徴とする作業機械の管理装置。
【請求項２】
請求項１に記載の作業機械の管理装置において、
前記アタッチメントはブレーカである
ことを特徴とする作業機械の管理装置。
【請求項３】
請求項１または請求項２に記載の作業機械の管理装置において、
前記パラメータ取得部は、前記アタッチメントの作動油の流量を取得する流量取得部と、前記アタッチメントの作動油の圧力を取得する圧力取得部とを有して構成される
ことを特徴とする作業機械の管理装置。
【請求項４】
請求項３に記載の作業機械の管理装置において、
前記流量は、前記アタッチメントの作動油の設定流量であって、
前記圧力は、前記アタッチメントの作動油の設定圧力である
ことを特徴とする作業機械の管理装置。
【請求項５】
請求項３に記載の作業機械の管理装置において、
前記アタッチメントの作動油の流量を検出する第１センサと、
前記アタッチメントの作動油の圧力を検出する第２センサと、を備え、
前記流量取得部は、前記第１センサの検出値に基づいて、前記アタッチメントの作動油の流量を取得し、
前記圧力取得部は、前記第２センサの検出値に基づいて、前記アタッチメントの作動油の圧力を取得する
ことを特徴とする作業機械の管理装置。
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
水不溶性ポリマー粒子（Ａ）と、有機溶剤（Ｂ）と、水とを含有する水系インクであって、
該水不溶性ポリマー粒子（Ａ）を構成するポリマーが架橋されてなり、
該水不溶性ポリマー粒子（Ａ）が、顔料を含有しないポリマー粒子であり、
さらに、顔料が、該顔料をポリマー分散剤で分散させた粒子として含まれ、該水不溶性ポリマー粒子（Ａ）の平均粒径が５ｎｍ以上９０ｎｍ以下であり、かつ該顔料をポリマー分散剤で分散させた粒子の平均粒径が８０ｎｍ以上２００ｎｍ以下であり、
該有機溶剤（Ｂ）が多価アルコールエーテルを含み、
該有機溶剤（Ｂ）の下記式（１）で表される粘度変化率が１４０％以下である、水系インク。
粘度変化率（％）＝（ηB／η50）×１００      （１）
ηB：有機溶剤（Ｂ）の３２℃における粘度
η50：有機溶剤（Ｂ）の５０質量％水溶液の３２℃における粘度
【請求項２】
有機溶剤（Ｂ）の含有量が、水系インク中、１０質量％以上３５質量％以下である、請求項１に記載の水系インク。
【請求項３】
３価以上の多価アルコールの含有量が、水系インク中、５質量％以下である、請求項１又は２に記載の水系インク。
【請求項４】
有機溶剤（Ｂ）の沸点の加重平均値が１５０℃以上２５０℃以下である、請求項１〜３のいずれかに記載の水系インク。
【請求項５】
水系インク中の水不溶性ポリマー粒子（Ａ）に対する顔料の質量比［顔料／ポリマー粒子（Ａ）］が、０．５以上４以下である、請求項１〜４のいずれかに記載の水系インク。
【請求項６】
水系インク中の水不溶性ポリマー粒子（Ａ）に対する有機溶剤（Ｂ）の質量比［有機溶剤（Ｂ）／水不溶性ポリマー粒子（Ａ）］が２以上２０以下である、請求項１〜５のいずれかに記載の水系インク。
【請求項７】
有機溶剤（Ｂ）中の多価アルコールエーテルの含有量が６０質量％以上である、請求項１〜６のいずれかに記載の水系インク。
【請求項８】
水不溶性ポリマー粒子（Ａ）を構成するポリマーが、未架橋のポリマー（ａ１）を架橋剤で架橋してなる架橋ポリマー（Ａ１）であり、該架橋剤が炭素数３以上８以下の炭化水素基を有する多価アルコールのポリグリシジルエーテル化合物である、請求項１〜７のいずれかに記載の水系インク。
【請求項９】
インクジェット記録用である、請求項１〜８のいずれかに記載の水系インク。
【請求項１０】
請求項１〜８のいずれかに記載の水系インクを用いて印刷媒体に印刷する印刷方法であって、
該印刷媒体と純水との接触時間１００ｍ秒における印刷媒体の表面積あたりの吸水量が０ｇ／ｍ２以上１０ｇ／ｍ２以下である、印刷方法。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
コアシェル型樹脂粒子（Ａ）と、グリコールエーテル（Ｂ）と、水とを含有する、樹脂粒子分散体であって、
コアシェル型樹脂粒子（Ａ）のコア部樹脂が、炭素数２以上１８以下の炭化水素基を有する（メタ）アクリル酸エステル由来の構成単位を、コア部樹脂を構成する構成単位中、４０質量％以上有し、コアシェル型樹脂粒子（Ａ）の酸価が５０ｍｇＫＯＨ／ｇ以上１００ｍｇＫＯＨ／ｇ以下であり、
グリコールエーテル（Ｂ）のエーテル部の炭化水素基の炭素数が炭素数２以上８以下、グリコールエーテル（Ｂ）の含有量が、樹脂粒子分散体中、２．８質量％以上であり、
コアシェル型樹脂粒子（Ａ）において、コア部樹脂（ａ１）と、コア部樹脂以外のシェル部に相当する樹脂（ａ２）との質量比〔（ａ１）／（ａ２）〕が、１以上１．３５以下である、樹脂粒子分散体。
【請求項２】
グリコールエーテル（Ｂ）が、エチレングリコールモノアルキルエーテル、ジエチレングリコールモノアルキルエーテル、プロピレングリコールモノアルキルエーテル、及びジプロピレングリコールモノアルキルエーテルからなる群より選ばれる１種以上のアルキルエーテルであり、そのアルキル基の炭素数が２以上８以下である、請求項１に記載の樹脂粒子分散体。
【請求項３】
（メタ）アクリル酸エステル由来の構成単位の炭素数２以上１８以下の炭化水素基が、炭素数３以上１２以下のアルキル基、及びベンジル基及び２−エチルヘキシル基からなる群より選ばれる１種以上である、請求項１又は２に記載の樹脂粒子分散体。
【請求項４】
水の含有量が、樹脂粒子分散体中、３０質量％以上８０質量％以下である、請求項１〜３のいずれかに記載の樹脂粒子分散体。
【請求項５】
さらに顔料を含有する、請求項１〜４のいずれかに記載の樹脂粒子分散体。
【請求項６】
顔料が白色顔料である、請求項５に記載の樹脂粒子分散体。
【請求項７】
グラビア印刷用である、請求項１〜６のいずれかに記載の樹脂粒子分散体。
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
エレベーターの乗りかごに設けられたかご側ドア及び建築構造物の出入口に設けた建屋側ドアの開閉を制御するエレベーターのドア制御装置であって、
前記かご側ドア又は前記建屋側ドアを駆動する駆動部を制御する制御部と、
前記駆動部の回転を検出する回転検出部と、
前記かご側ドア又は前記建屋側ドアの移動速度を検出するドア移動速度検出部と、を備え、
前記制御部は、
前記回転検出部から出力された前記駆動部の回転にかかる回転情報と、前記速度検出部が検出した前記移動速度にかかる速度情報から前記かご側ドアと前記建屋側ドアが係合する係合位置を算出する係合位置算出部を有し、
前記係合位置算出部は、前記かご側ドア及び前記建屋側ドアの機械的仕様から前記かご側ドアと前記建屋側ドアが係合されると推測される係合区間を外れる前記回転情報及び前記速度情報を排除し、前記係合区間の範囲内において前記係合位置を算出する
エレベーターのドア制御装置。
【請求項２】
前記制御部は、
前記かご側ドア又は前記建屋側ドアの移動速度の速度パターンを更新又は生成する速度パターン生成器を有し、
前記速度パターン生成器は、前記係合位置算出部が算出した前記係合位置に基づいて前記速度パターンを更新又は生成する
請求項１に記載のエレベーターのドア制御装置。
【請求項３】
前記制御部は、
前記速度情報に基づいて、前記移動速度が前記係合区間において予め設定された閾値速度を２回以上下回った際は、前記係合位置算出部による前記係合位置の算出を行わない
請求項１に記載のエレベーターのドア制御装置。
【請求項４】
前記制御部は、
前記係合位置算出部が算出した前記係合位置にかかる係合位置情報を格納する記憶部を有し、
前記記憶部に格納された前回の前記係合位置情報に基づいて前記係合区間よりも狭い範囲の係合位置更新範囲を設定し、
前記係合位置算出部は、前記係合位置更新範囲を外れる前記回転情報及び前記速度情報を排除し、前記係合位置更新範囲の範囲内において前記係合位置を算出する
請求項１に記載のエレベーターのドア制御装置。
【請求項５】
前記係合位置算出部は、前記速度情報から最も遅くなった速度である最低ドア速度から前記係合位置を算出する
請求項１に記載のエレベーターのドア制御装置。
【請求項６】
エレベーターの乗りかごに設けられたかご側ドア及び建築構造物の出入口に設けた建屋側ドアの開閉を制御するドアの開閉制御方法であって、
前記かご側ドア又は前記建屋側ドアを駆動する駆動部の回転を回転検出部により検出する処理と、
前記かご側ドア又は前記建屋側ドアの移動速度をドア移動速度検出部により検出する処理と、
前記回転検出部から出力された前記駆動部の回転にかかる回転情報と、前記速度検出部が検出した移動速度にかかる速度情報から前記かご側ドアと前記建屋側ドアが係合する係
合位置を係合位置算出部により算出する処理と、を含み、
前記係合位置算出部は、前記かご側ドア及び前記建屋側ドアの機械的仕様から前記かご側ドアと前記建屋側ドアが係合されると推測される係合区間を外れる前記回転情報及び前記速度情報を排除し、前記係合区間の範囲内において前記係合位置を算出する
ドアの開閉制御方法。
【請求項７】
昇降路内を昇降操作する乗りかごと、
前記乗りかごに設けられたかご側ドアと、
前記乗りかごが停止する乗り場に設けられ、前記かご側ドアと対向して係合する建屋側ドアと、
前記かご側ドア及び前記建屋側ドアの開閉を制御するドア制御装置と、を備え、
前記ドア制御装置は、
前記かご側ドア又は前記建屋側ドアを駆動する駆動部を制御する制御部と、
前記駆動部の回転を検出する回転検出部と、
前記かご側ドア又は前記建屋側ドアの移動速度を検出するドア移動速度検出部と、を備え、
前記制御部は、
前記回転検出部から出力された前記駆動部の回転にかかる回転情報と、前記速度検出部が検出した前記移動速度にかかる速度情報から前記かご側ドアと前記建屋側ドアが係合する係合位置を算出する係合位置算出部を有し、
前記係合位置算出部は、前記かご側ドア及び前記建屋側ドアの機械的仕様から前記かご側ドアと前記建屋側ドアが係合されると推測される係合区間を外れる前記回転情報及び前記速度情報を排除し、前記係合区間の範囲内において前記係合位置を算出する
エレベーター。
【手続補正２】
【補正対象書類名】明細書
【補正対象項目名】０００９
【補正方法】変更
【補正の内容】
【０００９】
上記課題を解決し、本目的を達成するため、エレベーターの乗りかごに設けられたかご側ドア及び建築構造物の出入口に設けた建屋側ドアの開閉を制御するエレベーターのドア制御装置であって、制御部と、回転検出部と、ドア移動速度検出部と、を備えている。
制御部は、かご側ドア又は建屋側ドアを駆動する駆動部を制御する。回転検出部は、駆動部の回転を検出する。ドア移動速度検出部は、かご側ドア又は建屋側ドアの移動速度を検出する。制御部は、回転検出部から出力された駆動部の回転にかかる回転情報と、速度検出部が検出した移動速度にかかる速度情報からかご側ドアと建屋側ドアが係合する係合位置を算出する係合位置算出部を有している。そして、係合位置算出部は、かご側ドア及び建屋側ドアの機械的仕様からかご側ドアと建屋側ドアが係合されると推測される係合区間を外れる回転情報及び速度情報を排除し、係合区間の範囲内において係合位置を算出する。
【手続補正３】
【補正対象書類名】明細書
【補正対象項目名】００１０
【補正方法】変更
【補正の内容】
【００１０】
また、ドアの制御方法は、エレベーターの乗りかごに設けられたかご側ドア及び建築構造物の出入口に設けた建屋側ドアの開閉を制御するドアの開閉制御方法であって、以下（１）から（３）に示す処理を含んでいる。
（１）かご側ドア又は建屋側ドアを駆動する駆動部の回転を回転検出部により検出する処理。
（２）かご側ドア又は建屋側ドアの移動速度をドア移動速度検出部により検出する処理。
（３）回転検出部から出力された駆動部の回転にかかる回転情報と、速度検出部が検出した移動速度にかかる速度情報からかご側ドアと建屋側ドアが係合する係合位置を係合位置算出部により算出する処理。
そして、係合位置算出部は、かご側ドア及び建屋側ドアの機械的仕様からかご側ドアと建屋側ドアが係合されると推測される係合区間を外れる回転情報及び速度情報を排除し、係合区間の範囲内において係合位置を算出する。